(57)【特許請求の範囲】
【請求項１】
グリップ部及び先端部を含む本体と、前記先端部に装着される針状筒体と、前記針状筒体の内部に回転自在に収容される吸引搬送用スクリューと、前記本体内に収容されて前記吸引搬送用スクリューを駆動回転させる駆動部とを備え、
前記本体の先端部は、前記針状筒体を前方に延出するよう支持すると共に、前記針状筒体と連通する排出口部を有し、
前記本体の先端部内には、前記吸引搬送用スクリューが当該吸引搬送用スクリューとは逆向きに作用するカウンタースクリューを介して前記駆動部に連結されていることを特徴とする医療用小型吸引装置。
【請求項２】
請求項１に記載の医療用小型吸引装置において、
前記吸引搬送用スクリューとカウンタースクリューとの間に翼車がさらに介在されていることを特徴とする医療用小型吸引装置。
【請求項３】
請求項２に記載の医療用小型吸引装置において、
前記翼車が遠心翼車からなることを特徴とする医療用小型吸引装置。
【請求項４】
請求項１乃至３のいずれか一項に記載の医療用小型吸引装置において、
前記吸引搬送用スクリューが、細帯状板材を捩って形成した螺旋体からなることを特徴とする医療用小型吸引装置。
【請求項５】
請求項１乃至４のいずれか一項に記載の医療用小型吸引装置において、
前記吸引搬送用スクリューの先端部に、切削刃が設けられていることを特徴とする医療用小型吸引装置。
【請求項６】
請求項１乃至５のいずれか一項に記載の医療用小型吸引装置において、
前記排出口部には、負圧吸引装置が配管接続可能とされていることを特徴とする医療用小型吸引装置。
【請求項７】
請求項１乃至６のいずれか一項に記載の医療用小型吸引装置において、
前記カウンタースクリューは、駆動伝達部を介して前記駆動部に連結され、前記先端部は、前記針状筒体、前記吸引搬送用スクリュー、前記カウンタースクリュー及び前記駆動伝達部と共に、前記グリップ部に対して着脱自在とされていることを特徴とする医療用小型吸引装置。
【発明の詳細な説明】
【技術分野】
【０００１】
本発明は、医療用小型吸引装置に係り、詳しくは、耳鼻科、歯科、脳神経科、外科等において、膿や分泌液の吸引、腫瘍等の病巣や塞栓の吸引摘出等の治療に用いられる医療用小型吸引装置に関する。
【背景技術】
【０００２】
例えば、耳鼻科においては、中耳炎の治療の際に、中耳に溜まった粘性の高い膿等の滲出液を吸引する治療がなされる。このような中耳滲出液の吸引治療には、特許文献１に開示されたようなマイクロポンプが用いられる。特許文献１に開示されたマイクロポンプは、手指によって支持される本体と、該本体の先端部に装着される針状筒体と、該針状筒体内に回転自在に収容されるスクリューと、該スクリューを回転駆動させるための駆動部とよりなり、スクリューを収容した針状筒体先端を鼓膜に突き刺して中耳に挿入し、スクリューを回転駆動させることによって、中耳内の滲出液を吸引して排出部より排出するように構成されている。
【先行技術文献】
【特許文献】
【０００３】
【特許文献１】特開２００４−２５４９６８号公報
【発明の概要】
【発明が解決しようとする課題】
【０００４】
ところで、特許文献１に開示されたようなマイクロポンプは、小型であり粘性の高い膿等の中耳滲出液の吸引には好適であるが、吸引対象物が血液に相当するような粘性の低い流体の場合には、前記スクリューが連結される駆動伝達軸を含む駆動伝達部に当該流体が浸入し、さらにはモータ等の駆動源にまで流体が及んで、これら駆動機構に回転不良等の悪影響をもたらすこともあった。
【０００５】
本発明は、このような実情に鑑みなされたもので、吸引対象物が粘性の高い流体であっても装置内に滞留することなくスムースに排出でき、また、吸引対象物が粘性の低い流体であっても駆動機構部に悪影響を及ぼさない新規な医療用小型吸引装置を提供することを目的とする。
【課題を解決するための手段】
【０００６】
本発明に係る医療用小型吸引装置は、グリップ部及び先端部を含む本体と、前記先端部に装着される針状筒体と、前記針状筒体の内部に回転自在に収容される吸引搬送用スクリューと、前記本体内に収容されて前記吸引搬送用スクリューを駆動回転させる駆動部とを備え、前記本体の先端部は、前記針状筒体を前方に延出するよう支持すると共に、前記針状筒体と連通する排出口部を有し、前記本体の先端部内には、前記吸引搬送用スクリューが当該吸引搬送用スクリューとは逆向きに作用するカウンタースクリューを介して前記駆動部に連結されていることを特徴とする。
【０００７】
本発明の医療用小型吸引装置によれば、針状筒体に収容された吸引搬送用スクリューを駆動部によって回転駆動させることによって、針状筒体内が負圧となり吸引対象物が針状筒体内に引き込まれる。針状筒体内に引き込まれた吸引対象物は、吸引搬送用スクリューの回転駆動に伴う螺進作用によって、本体の先端部内に向け搬送される。先端部内に搬送された吸引対象物は、前記先端部に設けられた排出口部より当該装置外に排出される。そして、当該先端部内では、カウンタースクリューの回転によって、吸引搬送用スクリューとは逆向きの作用が吸引対象物に付加され、これによって、吸引対象物が押し戻されるようになり、吸引対象物が当該排出口部からスムースに排出される。特に、吸引対象物が粘性の高い流体や生体組織である場合でも先端部内に滞留することがない。また、吸引対象物が粘性の低い流体である場合でも駆動部側に浸入することがなく、前記排出口部からの吸引対象物の排出がスムースになされ、駆動機構等に対して回転不良等の悪影響をもたらすことがない。
【０００８】
本発明の医療用小型吸引装置において、前記吸引搬送用スクリューとカウンタースクリューとの間に翼車がさらに介在されていても良い。これによれば、翼車の回転による吸引対象物に対する前記排出口部に向けた推進力がさらに増し、前記排出口部からの吸引対象物の排出がよりスムースになされる。
この場合、前記翼車が遠心翼車からなるものであっても良い。これによれば、遠心翼車の回転に伴う遠心力を利用する排出作用がさらに付加されるから、吸引対象物に対する前記排出口部に向けた推進力がより顕著となり、前記排出口部からの吸引対象物の排出がよりスムースになされる。
【０００９】
本発明の医療用小型吸引装置において、前記吸引搬送用スクリューが、細帯状板材を捩って形成した螺旋体からなるものとしても良い。
これによれば、吸引搬送用スクリューが、簡易に作製され、また、装置の軽量化及び低コスト化にも寄与する。
【００１０】
本発明の医療用小型吸引装置において、前記吸引搬送用スクリューの先端部に、切削刃が設けられていても良い。
これによれば、吸引搬送用スクリューと共に回転する切削刃によって、吸引対象物が切除されてそのまま針状筒体内を吸引及び搬送される。また、吸引対象物が被覆膜や隔膜等を介して存在する場合には、これら介在膜を切除して引き続き吸引対象物の吸引及び搬送がなされる。
【００１１】
本発明の医療用小型吸引装置において、前記排出口部には、負圧吸引装置が配管接続可能とされていても良い。
これによれば、排出口部に負圧吸引装置を配管接続することにより、医療用吸引システムを構成することができる。特に、各種医療施設においては、このような負圧吸引装置が設置されていることが多く、既設の負圧吸引装置を用いて前記医療用吸引システムを簡易に構成することができる。
【００１２】
本発明の医療用小型吸引装置において、前記カウンタースクリューは、駆動伝達部を介して前記駆動部に連結され、前記先端部は、前記針状筒体、前記吸引搬送用スクリュー、前記カウンタースクリュー及び前記駆動伝達部と共に、前記グリップ部に対して着脱自在とされているものとしても良い。
これによれば、吸引対象物が接触する可能性のある前記先端部、前記針状筒体、前記吸引搬送用スクリュー、前記カウンタースクリュー及び前記駆動伝達部が、前記グリップ部に対して着脱自在とされているから、これらを一括して取外して滅菌消毒することにより２次感染等を予防することができる。また、治療対象によっては、これらを一括して廃棄することにより、２次感染等のリスクをより確実に防止することができる。
【発明の効果】
【００１３】
本発明に係る医療用小型吸引装置によれば、吸引対象物が粘性の高い流体であっても装置内に滞留することなくスムースに排出でき、また、吸引対象物が粘性の低い流体であっても、駆動機構部への流体の浸入を防ぎ、駆動機構部に対し回転不良等の悪影響をもたらすことがない。
【図面の簡単な説明】
【００１４】
【図１】本発明に係る医療用小型吸引装置が組み込まれた医療用吸引システムの例を概略的に示す全体構成図である。
【図２】本発明に係る医療用小型吸引装置の一実施形態であって、図１のＸ部に対応する部分の拡大断面図である。
【図３】本発明に係る医療用小型吸引装置の他の実施形態を示す要部の拡大断面図である。
【図４】（ａ）は同実施形態に用いられる翼車の変形例を示す斜視図であり、（ｂ）はその縦断面図である。（ｃ）は同翼車の別の変形例を示す斜視図であり、（ｄ）はその縦断面図である。
【図５】（ａ）は同実施形態に用いられる翼車の他の例を示す斜視図であり、（ｂ）はその変形例を示す斜視図である。
【発明を実施するための形態】
【００１５】
以下、本発明に係る医療用小型吸引装置の実施の形態について図面に基づき説明する。図１は本発明に係る医療用小型吸引装置が組み込まれた医療用吸引システムの例を概略的に示している。この医療用吸引システムＳは、大略的に、本発明の一実施形態としての医療用小型吸引装置１と、該医療用小型吸引装置１の後記する排出口部２２ａに配管接続された負圧吸引装置１００とにより構成される。負圧吸引装置１００としては、例えば、診療室、手術室等に常備されるバキュームラインが充当され、排液トラップ１０１を介して、チューブ１０２により前記排出口部２２ａに配管接続される。
【００１６】
本実施形態の医療用小型吸引装置について図２をも参照して詳細に説明する。本実施形態の医療用小型吸引装置１は、グリップ部２０及び先端部２１を含むハンドピースタイプの本体２と、前記本体２の先端部２１に装着される針状筒体３と、前記針状筒体３の内部に回転自在に収容される吸引搬送用スクリュー４と、前記本体２内に収容されて前記吸引搬送用スクリュー４を駆動回転させる駆動部（モータ）６とを備える。前記本体２の先端部２１は、前記針状筒体３を前方に延出するよう支持すると共に、前記針状筒体３と連通する排出口部２２ａを有している。また、前記本体２の先端部２１内には、前記吸引搬送用スクリュー３が当該引搬送用スクリュー４とは逆向きに作用するカウンタースクリュー５を介して前記駆動部６に連結されている。カウンタースクリュー５の先側部は、排出口部２２ａの形成部位に及ぶように形成されている。前記本体２は、当該本体２の主体となるグリップ部２０と前記先端部２１とからなり、先端部２１はグリップ部２０に対して着脱自在とされている。この着脱機構については後記する。
【００１７】
本体２の先端部２１は、針状筒体３を前方に延びるよう支持する透明樹脂の成型体からなる中空筒状のカバー体２２を有し、このカバー体２２に当該カバー体２２の中空部２２０に通じるように排出口部２２ａが形成され、この排出口部２２ａに前記チューブ１０２を配管接続させるためのソケット２３が螺合されている。該ソケット２３も透明樹脂の成型体からなる。また、前記カバー体２２には、前記グリップ２０に着脱自在にねじ結合される連結スリーブ２４が螺合により一体とされ、更にこの連結スリーブ２４の内筒部には内筒スリーブ２５が螺合により一体とされている。連結スリーブ２４の基端部には、雌ねじ部２４ａが形成され、一方グリップ部２０の外装グリップ筒２００の前端部（先端部２１側）には雄ねじ部２００ａが形成され、連結スリーブ２４は、外装グリップ筒２００に対して雌雄のねじ部２４ａ，２００ａの螺合によって結合されている。前記内筒スリーブ２５には、駆動部６からの駆動を伝達する駆動伝達部６１を構成する末端駆動伝達軸６２が、軸受６２ａ，６２ｂによって軸回転可能に支持されている。末端駆動伝達軸６２の基部は、前記駆動伝達部６１を構成する中間駆動伝達軸６３にカップリング部６２ｃを介して同軸的に結合されている。カップリング部６２ｃは、末端駆動伝達軸６２に対してその軸Ｌ回りに回転不能とされ、軸受６２ｂと共に軸Ｌ方向に摺動可能とされている。そして、カップリング部６２ｃは、圧縮スプリング６２ｄによって、中間駆動伝達軸６３側に弾力付勢されている。これによって、中間駆動伝達軸６３に形成されたカップリング部６３ａとの結合の際に、両カップリング部６２ｃ，６３ａの噛み合いがフリクションをもってなされ、回転の伝達が安定的になされる。
【００１８】
中間駆動伝達軸６３は、ギヤ機構部や変速機構部を介して駆動伝達される複数の駆動伝達軸（図示省略）からなり、駆動部６の出力軸６ａにギヤ結合され、駆動部６の回転動力が末端駆動伝達軸６２に駆動伝達されるように構成されている。
尚、この例では、変速機構部によって回転数を減速して使用できるが、後記するコントロールボックス８で駆動部６の回転速度を制御すれば変速機構部を設けないで構成することも可能であり、このときには、駆動部６の出力軸６ａにカップリング部６３ａを設けて、カウンタースクリュー５の駆動部６側にカップリング部６２ｃを連結してカップリング部６３ａとカップリング部６２ｃで動力を伝達するようにすればよい。
【００１９】
グリップ部２０の基端部からは駆動部６用のリード線７が導出され、該リード線７はコントロールボックス８に接続されている。駆動部６はブラシレスモータからなり、フートコントローラ９の足踏み操作に伴うコントロールボックス８の制御によってその回転制御がなされる。前記連結スリーブ２４の前記外装グリップ筒２００に対するねじ結合を解除すると、先端部２１は、ソケット２３を一体とするカバー体２２、内筒スリーブ２５を一体とする連結スリーブ２４、針状筒体３、吸引搬送用スクリュー４、カウンタースクリュー５及び末端駆動伝達軸６２（駆動伝達部６１の一部）と共に、前記グリップ部２０から脱離が可能とされる。このとき、両カップリング部６２ｃ，６３ａが軸方向に互いに遊離する。これによって、これら脱離された各部品を、一括してオートクレーブ等において滅菌消毒するか、或いは治療内容によっては使い捨てとすることができる。また、カバー体２２は、連結スリーブ２４に対してねじ部２２ｂ，２４ｂを介してねじ結合されており、このねじ結合を解除することにより、カバー体２２及び針状筒体２３の連結スリーブ２４からの脱離も可能とされ、これらのみを滅菌消毒或いは使い捨てとすることもできる。
【００２０】
針状筒体３は、外径０．５ｍｍ、内径０．３ｍｍ程度の金属製（例えば、ステンレス製）チューブからなり、その基部が前記カバー体２２に対してその中空部２２０に連通するよう接着剤によって固着されている。また、吸引搬送用スクリュー４は、厚さ０．１ｍｍ、幅０．２５ｍｍ程度の金属製（例えば、ステンレス製）細帯状板材を捩って形成した細長の螺旋体４０からなり、その基部がカウンタースクリュー５の先端軸心部に同軸的に接着剤（不図示）によって固着されている。さらに、この吸引搬送用スクリュー４の先端には鋸歯状の切削刃４１が設けられている。図例では、前記末端駆動伝達軸６２の先側外周部がタッピング加工されて、この部分がカウンタースクリュー５とされているが、末端駆動伝達軸６２とカウンタースクリュー５とを別部品とし、これらをねじ結合等により同軸的に一体としても良い。
尚、針状筒体３の内外径や長さ、吸引搬送用スクリュー４の厚み、幅及び捩じり回数（螺旋ピッチ）は、目的に応じて種々選択すれば良い。
【００２１】
吸引搬送用スクリュー４は、図に示すような螺旋態様の場合、コントロールボックス８の制御によって軸Ｌ回りに矢印ａ方向に回転する。また、カウンタースクリュー５は、吸引搬送用スクリュー４に対して所謂逆ねじの関係となるような螺旋態様に形成される。このような吸引搬送用スクリュー４の螺旋態様及び矢印ａ方向の回転により、針状筒体３の先端開口３ａには針状筒体３内への引き込み気流が発生すると共に、吸引搬送用スクリュー４の螺進作用に伴い吸引対象物に対してカバー体２２側への推進力が発生する。一方、カウンタースクリュー５の前記螺旋態様及び矢印ａ方向の回転により、カバー体２２内に至った吸引対象物に対して針状筒体３側に押しやるような力が作用する。吸引搬送用スクリュー４及びカウンタースクリュー５の回転数は、治療内容によって異なるが、中耳滲出液の吸引治療や癌細胞の摘出吸引治療の場合は、約１００００〜４００００ｒｐｍに設定されるが、目的に応じてそれ以下に設定することも可能である。
【００２２】
前記のように構成される医療用小型吸引装置１及びこれを組み込んだ医療用吸引システムＳの動作について説明する。術者は、負圧吸引装置１００を作動させた上で、本体２のグリップ部２０を手指で把持し、針状筒体３の先端開口部３ａを吸引対象部位（不図示）に近接させる。そして、術者は、フートコントローラ９を足踏み操作して、駆動部６を作動させる。癌細胞の摘出吸引治療の場合は、負圧吸引装置１００及び吸引搬送用スクリュー４による相乗した吸引作用によって、癌細胞組織（不図示）が先端開口部３ａから針状筒体３内に引き込まれる。この先端開口部３ａでは、吸引搬送用スクリュー４の先端に設けられた切削刃４１が、吸引搬送用スクリュー４と共に軸回転しているから、引き込まれた癌細胞組織が切除され、そのまま針状筒体３内に吸引される。針状筒体３内に吸引された癌細胞組織（吸引対象物）は、吸引搬送用スクリュー４の軸回転に伴う螺進作用によって、針状筒体３内をカバー体２２側に搬送される。カバー体２２に至った吸引対象物は、排出口部２２ａからチューブ１０２を経て速やかに排液トラップ１０１に収容される。
【００２３】
カバー体２２内においては、カウンタースクリュー５の軸回転によって、吸引対象物に対して吸引搬送用スクリュー４の推進力に対向する力が作用するから、吸引対象物に血液或いは血液に相当するような低粘性の流体を含んでいても、吸引対象物が末端駆動伝達軸６２の支持部側へ浸入せずに押し戻されるようになる。したがって、低粘性の吸引対象物が、カウンタースクリュー５とカバー体２２との隙間に浸入し、さらには、末端駆動伝達軸６２を含む駆動伝達部６１に至ることも抑制され、これら駆動機構部に対し回転不良等の悪影響をもたらすことがない。カバー体２２内は、負圧吸引装置１００によって、排出口部２２ａを通じて吸引負圧下の状態とされているから、カバー体２２内の吸引対象物は、滞留することなく速やかに排液トラップ１０１に向け排出される。カバー体２２及びソケット２３は透明樹脂の成型体からなるから、術者は、カバー体２２及び排出口部２２ａ内の吸引対象物の動きを視認することができる。中耳滲出液の吸引治療の場合は、切削刃４１の回転によって、鼓膜（不図示）を切開し、その後中耳内の滲出液を同様に吸引させることができる。また、チューブ１０２も透明な樹脂チューブを使用することで吸引状況を容易に視認できる。また、排出口部２２ａから吸引対象物を排出するソケット２３は、本体２の斜め後方に向けてカバー体２２に設けることにより、チューブ１０２を取扱いの障害にならないように本体２に沿わせて配設し易くしても良い。
【００２４】
図３は、本発明に係る医療用小型吸引装置の他の実施形態を示す。本実施形態の医療用小型吸引装置１０は、吸引用スクリュー４と、カウンタースクリュー５との間に翼車１１がさらに介在されていることで特徴付けられる。この例の翼車１１は、遠心翼車であり、カウンタースクリュー５の先端にねじ結合（図４の断面図（ｂ）（ｄ）におけるねじ部参照）によって同軸的に一体とされ、該遠心翼車１１の先端に吸引搬送用スクリュー４が接着剤によって同軸的に固着一体とされている。この遠心翼車１１は、吸引搬送用スクリュー４及びカウンタースクリュー５と一体とされる基体部１１ａに、４枚の翼部１１ｂが周方向に等間隔（ピッチ９０°）で設けられている。この４枚の翼部１１ｂの外縁部は、吸引用スクリュー４側に向け漸次縮径するテーパ形状をなすように形成されている。そして、この翼部１１ｂは、排出口部２２ａの形成位置に及ぶように形成されている。
【００２５】
本実施形態の医療用小型吸引装置１０も、図１と同様の医療用吸引システムＳに組込まれるが、本実施形態の医療用小型吸引装置１０においては、カウンタースクリュー５が前記例と同様に機能することに加え、カウンタースクリュー５及び遠心翼車１１の一体の軸回転に伴う翼部１１ｂの遠心作用によって、吸引対象物がカバー体２２内で遠心方向に分散撹拌される。カバー体２２内は、負圧吸引装置１００（図１参照）によって負圧とされているから、分散撹拌された吸引対象物は、カバー体２２内で滞留することなく、負圧吸引装置１００による吸引力によって、排出口部２２ａから排液トラップ１０１（図１参照）に向け、より一層速やかに排出される。その他の構成は、前記実施形態と同様であるから、共通部分に同一の符号を付し、ここでは、その構成及び作用・効果の説明を割愛する。
【００２６】
図４（ａ）（ｂ）は、前記実施形態の医療用小型吸引装置１０に用いられる翼車の変形例を示している。この例の翼車１１Ａも遠心翼車であり、図３の例とは、翼部１１ｂの枚数（６枚）とその形状が異なるだけで、その基本的な構成は図３に示す例と同様である。そして、図３では図示を省略したが、中心に軸Ｌ方向に沿った貫通孔１１ｃが形成され、この貫通孔１１ｃのカウンタースクリュー５側の内壁に、カウンタースクリュー５に形成された雄ねじ部（不図示）に螺合する雌ねじ部１１ｄが形成されている。これにより、カウンタースクリュー５と遠心翼車１１Ａとが同軸的にねじ結合される。そして、貫通孔１１ｃを構成する筒状体１１ｅは直状の円筒体とされ，前記基体部１１ａはこの筒状体１１ｅとその一端に形成された鍔状部１１ｆとによって構成されている。この例の遠心翼車１１Ａも、図３の例と同様に、カウンタースクリュー５と共に軸回転する遠心翼車１１Ａの回転に伴う翼部１１ｂの遠心力による排出作用によって、吸引対象物がカバー体２２内で分散撹拌され、カバー体２２内で滞留することなく、排出口部２２ａから排液トラップ１０１に向け、速やかに排出される。
【００２７】
図４（ｃ）（ｄ）は、前記実施形態の医療用小型吸引装置１０に用いられる翼車の別の変形例を示している。この例の翼車１１Ｂも遠心翼車であり、図４（ａ）（ｂ）の例とは、翼部１１ｂの枚数は同じであるが、翼部１１ｂが渦巻き状に形成され、且つ、貫通孔１１ｃを構成する筒状体１１ｅが鍔状部１１ｆの外周縁部から吸引搬送用スクリュー４側に向け漸次凹曲状に縮径するテーパ形状とされている点で異なる。翼部１１ｂの渦巻き態様（螺旋態様）は、カウンタースクリュー５の螺旋態様と同じであり、吸引搬送用スクリュー４の螺旋態様とは所謂逆ねじ関係とされる。このようなカウンタースクリュー５と一体の遠心翼車１１Ａの回転に伴う翼部１１ｂの遠心作用は、図４（ａ）（ｂ）の例に比べてより顕著に発現され、吸引対象物のカバー体２２から排出口部２２ａを経た排出がよりスムースになされる。
尚、貫通孔１１ｃに代え、遠心翼車１１Ａ，１１Ｂの軸Ｌ方向両端に有底の円形凹部を形成し、カウンタースクリュー５側の凹部に前記雌ねじ部１１ｄを形成し、吸引搬送用スクリュー４側の凹部において吸引搬送用スクリュー４の基端部を接着剤で固着しても良い。これは、図３に示す遠心翼車１１、及び図５に示す遠心翼車１１Ｃ，１１Ｄにも同様に適用される。
【００２８】
図５（ａ）は前記実施形態の医療用小型吸引装置１０に用いられる翼車の他の例を示す。この例の翼車１１Ｃも遠心翼車であり、貫通孔１１ｃを構成する筒状体１１ｅが直状の円筒体とされ、この筒状体１１ｅの一端に鍔状部１１ｆが形成され、筒状体１１ｅと鍔状部１１ｆとにより基体部１１ａが構成されている。そして、６枚の翼部１１ｂが、筒状体１１ｅに対し間隔を空け、鍔状部１１ｆの吸引搬送用スクリュー４側の面に周方向に等間隔で放射状に形成されている。
【００２９】
図５（ｂ）は、図５（ａ）の例の変形例を示す。この例の翼車１１Ｄも遠心翼車であり、基体部１１ａ、貫通孔１１ｃ及び筒状体１１ｅが図５（ａ）の例と同様に構成されている。そして、６枚の翼部１１ｂが、筒状体１１ｅに対し間隔を空け、鍔状部１１ｆの吸引搬送用スクリュー４側の面に周方向に等間隔で且つ渦巻き状に形成されている。この例の遠心翼車１１Ｄにおける翼部１１ｂの渦巻き態様（螺旋態様）は、カウンタースクリュー５の螺旋態様と同じであり、吸引搬送用スクリュー４の螺旋態様とは所謂逆ねじ関係とされる。
【００３０】
図５（ａ）（ｂ）に示す遠心翼車１１Ｃ，１１Ｄも、カウンタースクリュー５（図３参照）の先端にねじ結合される。また、これら遠心翼車１１Ｃ，１１Ｄも、図３の例と同様に、カウンタースクリュー５と一体の軸回転に伴う翼部１１ｂの遠心作用によって、吸引対象物がカバー体２２内で分散撹拌され、吸引対象物のカバー体２２からの排出がスムースになされる。そして、図５（ｂ）に示す遠心翼車１１Ｄは、翼部１１ｂが渦巻き状に形成されていることにより、図４（ｃ）（ｄ）に示す遠心翼車１１Ｂと同様に、翼部１１ｂの遠心作用がより顕著に発現され、吸引対象物がカバー体２２内に滞留することなく、排出口部２２ａからよりスムースに排出される。
【００３１】
尚、前記実施形態では、吸引対象物が癌細胞や中耳滲出液である例について述べたが、これに限らず、医科治療において体外に排出すべき他の疾患部位や病変液を吸引対象物として本発明の医療用小型吸引装置を適用することはもとより可能である。また、図３〜図５に示す例において翼車１１（１１Ａ〜１１Ｄ）をカウンタースクリュー５の先端にねじ結合によって一体とする例について述べたが、末端駆動伝達軸６２、カウンタースクリュー５及び翼車１１を同じ棒状の原材に、これらを研削加工等によって形成したものであっても良い。さらに、例示した針状筒体３の外径及び内径、吸引搬送用スクリュー４の螺旋体４０を構成する細帯状板材の厚さ及び幅、吸引搬送用スクリュー４の回転数は一例であって、これに限らず、吸引対象物の性状によって適宜設定される。加えて、図例の針状筒体３は、直状形であるがコントラ形や湾曲形であっても良い。また、図例の本体２はコントラ形であるが、直状形であっても良い。
【符号の説明】
【００３２】
１                          医療用小型吸引装置
２                          本体
２０                        グリップ部
２１                        先端部
２２                        カバー体
２２ａ                      排出口部
３                          針状筒体
４                          吸引搬送用スクリュー
４０                        螺旋体
４１                        切削刃
５                          カウンタースクリュー
１１，１１Ａ〜１１Ｄ        翼車（遠心翼車）
６                          駆動部
６１                        駆動伝達部
６２                        末端駆動伝達軸（駆動伝達部の一部）
１００                      負圧吸引装置
【要約】
【課題】吸引対象物が粘性の高い流体であっても装置内に滞留することなくスムースに排出でき、また、吸引対象物が粘性の低い流体であっても駆動機構部に悪影響を及ぼさない新規な医療用小型吸引装置を提供する。
【解決手段】グリップ部２０及び先端部２１を含む本体２と、前記先端部２１に装着される針状筒体３と、前記針状筒体３の内部に回転自在に収容される吸引搬送用スクリュー４と、前記本体２内に収容されて前記吸引搬送用スクリュー４を駆動回転させる駆動部６とを備え、前記本体２の先端部２１は、前記針状筒体３を前方に延出するよう支持すると共に、前記針状筒体３と連通する排出口部２２ａを有し、前記本体２の先端部２１内には、前記吸引搬送用スクリュー４が当該吸引搬送用スクリュー４とは逆向きに作用するカウンタースクリュー５を介して前記駆動部６に連結されていることを特徴とする。
【選択図】図１【図１】
0005813193.tif 000002
【図２】
0005813193.tif 000003
【図３】
0005813193.tif 000004
【図４】
0005813193.tif 000005
【図５】
0005813193.tif 000006